(57)【要約】      （修正有）【課題】適切に指情報の再登録を行うことが可能な指認証装置を提供する。【解決手段】携帯端末は、ユーザの生体情報を記憶する記憶手段と、ユーザの生体情報を読取る読取手段と、記憶した生体情報と読取った生体情報を用いた認証結果に応じてロックを解除するように制御する制御手段とを備える。制御手段は、ロックを解除した後に携帯端末あるいはアプリケーションの使用終了要求が入力された場合に、読取手段によりユーザの生体情報を読取りし、読取った生体情報を次回の認証に用いるように記憶手段に記憶するように制御する。【選択図】図１
2009164921.tif 000002
【特許請求の範囲】
【請求項１】
ロック機能を備えた携帯端末であって、
前記携帯端末のユーザの生体情報を記憶する記憶手段と、
前記携帯端末のユーザの生体情報を読取る読取手段と、
前記記憶手段に記憶した生体情報と前記読取手段により読取った生体情報を用いた認証結果に応じて、前記携帯端末あるいはアプリケーションのロックを解除するように制御する制御手段と、
を備え、
前記制御手段は、ロックを解除した後に前記携帯端末あるいはアプリケーションの使用終了要求が入力された場合に、前記読取手段により前記携帯端末のユーザの生体情報を読取りし、読取った生体情報を次回の認証に用いるように前記記憶手段に記憶するように制御することを特徴とする携帯端末。
【請求項２】
請求項１に記載の生体情報は前記携帯端末のユーザの指紋あるいは指静脈の情報であることを特徴とする携帯端末。
【請求項３】
請求項２に記載の携帯端末であって、前記読取手段は光センサを備え、
前記制御手段は、前記光センサが覆い隠されるように前記携帯端末のユーザの指が置かれた場合に指情報の読取りを行うように、前記読取手段を制御することを特徴する携帯端末。
【請求項４】
請求項１に記載の制御手段は、前記認証に用いられる生体情報よりも、前記記憶手段に記憶する生体情報の読取りを行う際に、前記読取手段が高解像度で撮影を行うように制御することを特徴とする携帯端末。
【請求項５】
ユーザの指情報を用いて認証を行う携帯端末であって、
前記携帯端末のユーザの指情報を読取る読取手段と、
前記携帯端末のユーザの複数の指の指情報を記憶するとともに、前記複数の指情報の１つをロック解除用の指情報として記憶する記憶手段と、
前記読取手段に読取られた指情報が前記複数の指情報の１つと所定値以上一致した場合に、前記読取手段に読取られた指情報を前記ロック解除用の指情報に変更するように制御する制御手段と、
を備えていることを特徴とする携帯端末。
【請求項６】
ユーザの指情報を用いて認証を行う携帯端末であって、
前記携帯端末のユーザの指情報を読取る読取手段を備え、
前記読取手段は光センサを有し、前記光センサが覆い隠されるように前記携帯端末のユーザの指が置かれた場合に指情報の読取りを行うことを特徴する携帯端末。
【発明の詳細な説明】
【技術分野】
【０００１】
本発明は、特定ユーザのみ端末を使用可能とする認証に関わる技術である。
【背景技術】
【０００２】
近年、セキュリティ機能の一つに生態認証による本人認証として、指静脈の画像を利用した本人認証を行う装置がある。例えば、特許文献１には、高い再現性をもって指静脈画像を取得するために、指長軸方向のずれを防止するための壁や、指短軸方向のずれ及び指長軸を軸とした回転を防止するためのマーク等を設けることが記載されている。
【０００３】
【特許文献１】特開２００４−４９７０５号公報
【発明の開示】
【発明が解決しようとする課題】
【０００４】
指静脈などの生体情報は年を経て徐々に変化したり、怪我や体調により一時的に変化したりすることがある。そのため、生態情報を用いた認証を行う場合、撮影画像の再現性を高めるためには、マークなどのガイドを設けて撮影位置や方向のずれを防止するだけではなく、登録してからある程度時間が経過した場合には、認証を行う為の元画像を再登録することが求められる。しかし、通常一度登録した元画像は、ユーザが意識的に行わない限り、再登録されることはない。  そこで、本発明は、適切に指情報の再登録を行うことが可能な指認証装置を提供することを目的とする。
【課題を解決するための手段】
【０００５】
本発明にかかる携帯端末は、ユーザの生体情報を記憶する記憶手段と、ユーザの生体情報を読取る読取手段と、記憶した生体情報と読取った生体情報を用いた認証結果に応じてロックを解除するように制御する制御手段とを備える。制御手段は、ロックを解除した後に携帯端末あるいはアプリケーションの使用終了要求が入力された場合に、読取手段によりユーザの生体情報を読取りし、読取った生体情報を次回の認証に用いるように記憶手段に記憶するように制御する。
【発明の効果】
【０００６】
本発明によれば、適切に指情報の再登録を行うことが可能な指認証装置を提供することができる。
【発明を実施するための最良の形態】
【０００７】
図１は、指認証装置の一例である携帯端末の内部構成例を示したブロック図である。
【０００８】
指情報読取り部３は、携帯端末１のユーザ本人であるかどうかを判定するための指情報、例えばユーザの指静脈情報や指紋情報を読取る。指静脈情報を読取る場合には、例えば近赤外線を指に照射して透過光を読取る方式を用いる。また、指紋情報を読取る場合には、例えば指紋に光を当て凹凸反射光を読取る方式や、指紋の凹凸により指情報読取り部３との間に生じる静電容量を読取る方式を用いる。
【０００９】
記憶部８は、指情報読取り部３で読取った指情報を記憶する。このとき、記憶部８で保存する情報は、指情報認証部７で認証可能な情報であれば、指情報読取り部３で読取ったデータそのままではなく、読取ったデータの特徴点を抽出するなど、加工したデータであってもよい。
【００１０】
指情報認証部７は、記憶部８で保存した情報と指情報読取り部３で読取った情報が一致するか否かの判定を行う。例えば、指静脈の形状が一致しているか、指紋の分岐や端点などの特徴点が一致しているかを判定する。一致すれば認証成功、一致しなければ認証失敗を示す情報を制御部６に出力し、制御部６は判定結果を表示部２に表示する。
【００１１】
携帯端末１は、記憶部８に記憶したアドレス帳データやデータフォルダの閲覧機能や、通信部４を用いたメール機能や金融機関等との電子取引などのサービス使用機能を備えている。制御部６は、前記各種機能を動作させるように制御するとともに、指情報認証部７での認証結果に応じて前記各種機能を使用できないように制御する。なお、使用を禁止する制御としては、個別機能毎に使用をロックするようにしても良いし、操作部５からのキー操作を無効化するなど、端末自体をロックするようにしてもよい。個別機能毎のロックとしては、例えば、電子取引に使用するアプリケーションの起動や動作を許可せずに金融機関との電子取引を使用できなくする電子取引ロック、データフォルダの閲覧を出来なくするロック、アドレス帳の閲覧・編集を不可とするロック、ＰＣ等外部機器への転送を禁止するロックなどがある。
【００１２】
図２は携帯端末の外観の一例を示す図であり、図２（ａ）は携帯端末１を裏から見た図であり、図２（ｂ）はユーザの指１０が設置された状態の携帯端末１を横から見た図、図２（ｃ）は携帯端末１を表から見た図を示している。また、図３は、指情報の再登録処理手順を示すフローチャートの一例である。  まず、携帯端末１自体あるいは個別機能毎にロックされた状態で、携帯端末１あるいは機能の使用要求が入力される（Ｓ１）。この使用要求は、操作部５を介してユーザから入力されるものであっても良いし、通信部４を介して受信したものであっても良いし、記憶部８に記憶された日時や時間間隔に応じて制御部６から出力されるものであっても良い。
【００１３】
使用要求が入力されると（Ｓ１）、制御部６は指情報読取り部３を制御し、指情報読取りを行う。指情報認証部７は、読取られた指情報と、記憶部８に予め登録された指情報とを比較し、例えば９０％以上の基準値以上、指情報が一致するか判定を行う（Ｓ２）。この際、制御部６は、ユーザに指情報読取り部３に指を置くことを促すメッセージを表示部２に表示することが望ましい。また、図３（ｂ）に示すように、ユーザが指情報読取り部３に指１０をかざしながら、指認証起動スイッチ９を押したことを契機に、制御部６は指情報読取り部３を起動させ、指認証起動スイッチ９が押されている間のみ指情報読取り処理を行うように指情報読取り部３を制御するようにしてもよい。このように、指認証起動スイッチ９が押されたことを契機に指情報読取り部３を起動させることにより、携帯端末１の消費電力を抑制することができる。
【００１４】
なお、図５（ａ）に示すように、指認証起動スイッチ９が押されている場合であっても、指が指情報読取り部３から離れてしまい、指情報を正しく読むことができない可能性がある。そのため、例えば、図５（ｂ）に示すように、指情報読取り部３に光センサ１１を設け、光センサ１１が覆い隠されている場合にだけ指情報の読取りを行うようにすることが望ましい。この際、指認証起動スイッチ９が押されたにもかかわらず、光センサ１１が覆い隠されていない場合には、「指が正しく置かれていません」などのメッセージをマイク（図示なし）などから出力することにより、読取り可能な位置に指を置くようにユーザを促すことができる。また、光センサ１１と指認証起動スイッチ９の距離が近すぎると、指が正しく置かれているかどうかの確認にならないため、光センサ１１と指認証起動スイッチ９は例えば５ｃｍなどの所定間隔離して設置することが望ましい。
【００１５】
また、光センサ１１の数は、図６（a）に示すように１つだけに限らず、例えば図６（ｂ）に示すように指情報読取り部３内に複数個配置するようにしても良い。光センサ１１が１つだけの場合には、光センサ１１が覆われているが、指が指情報読取り部３に対して斜めに置かれており、正しく読取りができない可能性がある。例えば図６（ｂ）のように、光センサを複数個備え、複数の光センサが覆い隠されるように指の配置を誘導することにより、指を置く位置のずれや回転をすくなくすることができる。
【００１６】
以上説明したようにＳ２において指情報認証処理を行い、認証結果が一致しない場合（Ｓ２：ＮＧ）、携帯端末１あるいは各種機能を動作させるアプリケーションの起動を行わずに終了する。なお、図３に示すフローチャートは一例であり、認証結果が一致しない場合、例えば３回などの所定回数または所定時間に達するまでＳ２に戻り、再度指情報を読取り、判定を行うようにしても良い。
【００１７】
一方、認証結果が一致した場合（Ｓ２：ＯＫ）、アプリケーションを起動し、終了要求があるまでアプリケーションを動作させる（Ｓ３）。
【００１８】
操作部５を介してユーザからアプリケーションの終了要求が入力されると（Ｓ４：あり）、制御部６は、ユーザに指情報の再登録を求めるメッセージを表示部２に表示し、指情報読取り部３を制御し、登録用の指情報読取りを行う（Ｓ５）。なお、登録用の指情報読取り処理では、Ｓ２における認証用の指情報読取り処理より正確な情報を読取る必要がある。例えば、認証に必要な指静脈分岐点の数がＮ箇所とすると（Ｎは整数値）、認証用指情報読取り処理では、Ｎ箇所の指静脈分岐点を読取れるように撮影すればよいが、登録用指情報読取り処理では、認証率をよくするためにＮ箇所以上の指静脈分岐点を読取れるように撮影することが求められる。情報量を上げるため、例えばピントや光量の調節するなど、高解像度での撮影をする必要がある。  指情報の読取りに成功した場合（Ｓ６：読取り成功）、制御部６は読取った指情報を次回ロック解除用指情報として記憶部８に再登録を行った後に、アプリケーションを終了させる（Ｓ７）。次回、指情報認証が行われる際には、再登録された指情報を用いて認証が行われる。このように、本例による処理手順では、既登録の指情報の取消し処理を特段行うことなく、記憶部８に指情報が登録されている指とは異なる指の情報であっても、指情報として登録することができる。但し、Ｓ２で認証を行ってから長い時間が経過していると、他の人により指情報が再登録されてしまう可能性があるため、セキュリティ向上のために、Ｓ２の認証から例えば１５分などの所定時間以降経過した後に終了要求が入力された場合には、Ｓ５〜Ｓ７に示す再登録処理を行うまでに、再度Ｓ２の指情報認証を行うように制御することが望ましい。
【００１９】
一方、指情報読取りに失敗した場合（Ｓ６：読取り失敗）、Ｓ５に戻り、再度指情報の読取りを行う。ここで一定回数の読取り失敗もしくは一定時間読取り失敗が続いた場合（Ｓ６：タイムアウト）、そのままアプリケーションを終了する（Ｓ８）。なお、終了要求（Ｓ４）は、操作部５を介してユーザから終了要求が入力される場合に限らず、例えば、ユーザが指情報読取り部３に指１０をかざし、指認証起動スイッチ９を押下した場合に終了要求が入力されたと判断しても良い。
【００２０】
このように、アプリケーションの終了要求が入力された際に、新たな指情報の登録を行うため、ユーザが経年変化などの原因により指情報の再登録が必要であることを意識していない場合であっても、ユーザに指情報の再登録を促すことができる。
【００２１】
なお、図２に示した例では、操作部５と指情報読取り部３とを別に設けているが、操作部５に指情報読取り部３を備えていてもよい。また、操作部５の間に指情報読取り部３を配置してもよい。このように構成することにより、操作部５を押下する際に、指情報を読取ることができる。また、操作部５の一部を指認証起動スイッチ９として用いても良い。
【００２２】
また、図３に示した例では、終了要求が入力される毎に指情報の読取りを行っているが、これに限定するわけでない。例えば、指静脈の登録を行ってから所定期間経過した場合に、ユーザに再登録を促すようにしても良い。また、終了処理に限らず、例えば、銀行の電子取引のアプリケーションにおいて、振込み金額、振込先の最終決定キー押下などのタイミングで指情報読取り処理および指情報再登録を行うようにしても良い。
【００２３】
なお、記憶部８に複数の指の指情報が登録されている場合には、Ｓ５〜Ｓ７の処理を繰り返し、複数の指の指情報を再登録するようにしても良い。また、記憶部８に複数本の指情報が記憶されており、そのうち１本の指情報がロック解除用指情報として登録されている場合には、図３に代えて、図４に示す手順で処理するようにしても良い。図４の例では、図３に示すＳ５〜Ｓ７までの処理に代えて、Ｓ９〜Ｓ１１の処理を追加している。図３と同じ処理については、同じ符号を付し、説明を省略する。
【００２４】
図４に示す処理では、使用要求が入力された場合に（Ｓ１）、指情報読取り部３により読取られた指情報がロック解除用指情報として登録されている指情報が一致すると、認証ＯＫ（Ｓ２：ＯＫ）となり、アプリケーションが起動される（Ｓ３）。
【００２５】
アプリケーションの終了要求があると（Ｓ４：あり）、制御部６は指情報読取り部３を制御し、認証用指情報読取り処理（Ｓ９）を行う。なお、認証用指情報読取り処理では、例えば認証に必要な静脈の分岐点の数がＮ箇所とすると、Ｎ箇所以上の静脈の分岐点が読取れればよく、登録用指情報読み取り処理よりも読取れる分岐点の数が少なくてもよい。
【００２６】
認証用指情報読取り処理に失敗した場合（Ｓ１０：失敗）、制御部６は指情報読取り部３を制御し、再度認証用指情報の読取りを行う（Ｓ９）。ここで一定回数の読取り失敗もしくは一定時間読取り失敗が続いた場合（Ｓ９：タイムアウト）、携帯端末１の操作をロック、もしくはアプリケーションの起動ロックを行い、アプリケーションを終了する（Ｓ８）。
【００２７】
一方、指情報の読取りに成功した場合（Ｓ１０：成功）、制御部６は読取った指情報と予め記憶部８に記憶してある２本以上の指情報のどれかと一致するか否かの判定を行う（Ｓ１１）。予め登録してある指情報のどれか１つと一致した場合（Ｓ１１：あり）、次回にロック解除に用いる指情報を、一致した指情報に変更する（Ｓ１２）。判定結果が予め登録してある指情報のどれとも一致しない場合（Ｓ１１：なし）、再び認証用指情報読取り処理を行う（Ｓ９）。一定回数行っても一致しない、もしくは一定時間経過しても一致しない場合（Ｓ１１：タイムアウト）、携帯端末１の操作をロック、もしくはアプリケーションの起動ロックを行い、アプリケーションを終了する（Ｓ８）。
【００２８】
セキュリティ向上のため、ロック解除用の指情報は所定期間毎に変更したほうが望ましいが、変更する際に、他の人の指情報が間違って、あるいは故意に登録されてしまう可能性がある。図４に示すように、予め記憶されている複数本の指情報の１つと一致した場合に、その指情報をロック解除用の指情報として変更可能とし、予め登録していない指情報への変更を不可とすることで、このような問題発生を防止し、セキュリティを向上させることができる。
【００２９】
なお、指を怪我した場合や体調により、ロック解除用として登録していた指の指情報読取りに失敗することがある。指情報認証において認証ＮＧ（Ｓ２：ＮＧ）の場合、別の認証方法を行い、別の認証がＯＫであれば、前記指認証ＯＫ（Ｓ２：ＯＫ）とするようにしてもよい。例えば、ロック解除用として登録していた指以外の２本の指の指情報読取りを行い、読取った指情報が２本とも予め登録済みである指情報と一致していれば、認証ＯＫと判定する。
【００３０】
なお、以上説明した例では、指情報を携帯端末１の記憶部８に記憶しているが、これに限定するものではなく、通信部４を用いて通信可能なサーバ等の他の場所に記憶するようにしてもよい。例えばサーバに保存してある場合、通信部４から予め保存してある指情報を通信端末１に取得して指情報認証部７で認証する。また、通信端末１の代わりにサーバに指情報認証部を設け、読取った指情報を通信部４からサーバへ送信し、サーバで指情報認証を行い、通信端末１が認証結果を受け取るようにしてもよい。
【図面の簡単な説明】
【００３１】
【図１】指認証装置の一例である携帯端末の内部構成例を示したブロック図
【図２】携帯端末の外観の一例を示す図
【図３】指情報の再登録処理手順を示すフローチャートの一例を示す図
【図４】指情報の再登録処理手順を示すフローチャートの一例を示す図
【図５】携帯端末の外観の一例を示す図
【図６】光センサの配置例を示す図
【符号の説明】
【００３２】
１  携帯端末
２  表示部
３  指情報読取り部
４  通信部
５  操作部
６  制御部
７  指情報認証部
８  記憶部
９  指認証起動スイッチ
１０  指
１１  光センサ
【図１】
2009164921.tif 000003
【図２】
2009164921.tif 000004
【図３】
2009164921.tif 000005
【図４】
2009164921.tif 000006
【図５】
2009164921.tif 000007
【図６】
2009164921.tif 000008